(57)【要約】【課題】パッチコードにより内部接続を行う光波長多重伝送装置に関し、パッチコードによる接続作業の容易化を図り且つ各部の正常性の確保を可能とする。【解決手段】クライアント側送信部及び受信部とネットワーク側送信部及び受信部とを含むインタフェース盤と、多重部及び分離部を含む波長多重分離盤と、制御盤とを含み、各部をパッチコードにより接続する光波長多重伝送装置であって、クライアント側送信部の送信光パワーを測定する光パワー測定部と、クライアント側送信部の送信光の消光比を測定する消光比測定部と、光パワー測定部により測定した光パワーと消光比測定部により測定した消光比と、制御盤から通知されたインタフェース盤種別情報とを基にＯＭＡ規格に適合するか否かを判定処理する計算処理部と、この計算処理部の判定結果を表示する表示部とを含むＯＭＡ解析処理盤を備えている。【選択図】図１
2008177840.tif 000002
【特許請求の範囲】
【請求項１】
クライアント側送信部及び受信部とネットワーク側送信部及び受信部とを含むインタフェース盤と、多重部及び分離部を含む波長多重分離盤と、制御盤とを含み、各部をパッチコードにより接続する光波長多重伝送装置に於いて、
前記クライアント側送信部の送信光パワーを測定する光パワー測定部と、前記送信光の消光比を測定する消光比測定部と、前記光パワー測定部により測定した光パワーと前記消光比測定部により測定した消光比と、前記制御盤から通知されたインタフェース盤種別情報とを基にＯＭＡ規格に適合するか否かを判定処理する計算処理部と、該計算処理部の判定結果を表示する表示部とを含むＯＭＡ解析処理盤を備えた
ことを特徴とする光波長多重伝送装置。
【請求項２】
前記波長多重分離盤は、光信号を波長変換して多重化する多重部と、波長対応に分離して元の波長に変換する分離部と、前記多重部からの光波長多重信号を送信する送信部と、光波長多重信号を受信して前記分離部へ転送する受信部と、前記多重部から前記送信部へ転送する光波長多重信号又は前記受信部に光波長多重伝送路を介して入力される光波長多重信号の光パワーを測定する光パワー測定部と、該光パワー測定部による測定結果に応じて前記多重部から前記送信部へ転送する光波長多重信号又は前記光波長多重伝送路を介して前記受信部に入力される光波長多重信号を減衰調整する減衰量調整部とを備えたことを特徴とする請求項１記載の光波長多重伝送装置。
【請求項３】
前記波長多重分離盤の前記多重部及び前記分離部は、光レベルを検出して所定値以下に低下した時に前記制御盤に光レベル低下警報通知を行う光レベル低下検出部を備えたことを特徴とする請求項１又は２記載の光波長多重伝送装置。
【発明の詳細な説明】
【技術分野】
【０００１】
本発明は、１０Ｇｂｐｓ或いはそれ以上のデータ伝送速度の複数系統の光信号をそれぞれ異なる波長に変換して多重化した光波長多重信号を光波長多重伝送路に送出し、この光波長多重伝送路を介して受信した光波長多重信号を多重分離し、分離したそれぞれ異なる波長の光信号の波長を元に戻すように変換してそれぞれの系統対応に送出する光波長多重伝送装置に関する。
【背景技術】
【０００２】
光信号による高速データ伝送装置が既に各種提案され、且つ実用化されている。又複数系統の光信号をそれぞれ異なる波長に変換して多重化し、この光波長多重信号を伝送し、受信側では波長対応に分離してそれぞれの系統対応の波長に戻して伝送する光波長多重伝送装置も知られている（例えば、特許文献１参照）。又光波長多重伝送システムに於ける光波長多重信号を、波長対応に分離して、光スペクトル分析等を行ってテストする手段も提案されている（例えば、特許文献２参照）。
【０００３】
又光波長多重伝送装置は、前述のように、複数の光信号をそれぞれ異なる波長に変換して多重化して送信し、受信した光波長多重信号を波長分離する構成を有するものであり、例えば、図５に示す構成が知られている。同図に於いて、１００Ａ，１００Ｂは光波長多重伝送装置（ＷＤＭ（Ｗａｖｅｌｅｎｇｔｈ  Ｄｉｖｉｓｉｏｎ  Ｍｕｌｔｉｐｌｅｘｉｎｇ）装置）、１０１は光波長多重伝送路、１０２Ａ，１０２Ｂは１０Ｇｂｐｓのデータの送受信処理を行う１０Ｇインタフェース盤、１０３Ａ，１０３Ｂは波長多重分離盤、１０４Ａ，１０４ＢはパッケージＡ〜Ｈからなる多重部、１０５Ａ，１０５ＢはパッケージＡ〜Ｈからなる分離部、１０６Ａ，１０６Ｂは送信部、１０７Ａ，１０７Ｂは受信部、１０８Ａ，１０８Ｂは制御盤を示す。
【０００４】
光波長多重伝送装置１００Ａ，１００Ｂは、近接して配置した状態を示しているが、所望の距離間隔で配置し、相互間は光波長多重伝送路１０１により接続されるものであり、長距離の場合は、光増幅器により中継増幅伝送する手段を設けることもできる。又１０Ｇインタフェース盤１０２Ａ，１０２ＢのＮＴＷＫ（ネットワーク）側の送信部及び受信部は、光波長多重信号を伝送する光波長多重伝送路１０１に対して、波長多重分離盤１０３Ａ，１０３Ｂを介して接続されるネットワーク側を示し、又ＣＬＮＴ（クライアント）側の送信部と受信部は、単一波長光信号を伝送するクライアント側（例えば、イーサネット（登録商標）側）を示す。又多重部１０４Ａ，１０４Ｂは、１０Ｇインタフェース盤１０２Ａ，１０２Ｂの複数のクライアント側の送信部からの光信号をそれぞれ異なる波長に変換して多重化することにより光波長多重信号とし、送信部１０６Ａ，１０６Ｂから光波長多重伝送路１０１に送出する。又分離部１０５Ａ，１０５Ｂは、光波長多重伝送路１０１を介して受信部１０７Ａ，１０７Ｂにより受信した光波長多重信号を、波長対応に分離し、且つ元の波長に変換して、１０Ｇインタフェース盤１０２Ａ，１０２Ｂのクライアント側の受信部へ転送する。又制御盤１０８Ａ，１０８Ｂは、変換光波長の設定制御等の各部の制御を行うものである。
【０００５】
このような光波長多重伝送装置１００Ａ，１００Ｂは、クライアント側の構成に対応して、１０Ｇインタフェース盤１０２Ａ，１０２Ｂの増設や撤去を可能とし、且つ波長多重分離盤１０３Ａ，１０３Ｂの多重部１０４Ａ，１０４Ｂや分離部１０５Ａ，１０５Ｂの構成の増設や撤去を可能とする構成を有するもので、経済的なシステム構成とすることが可能である。その為に、パッケージ等からなる各部を必要に応じて実装し、装置内光ケーブル（以下「パッチコード」と称する）により接続して組み立てるものである。その場合、組立作業は、ハンディパワーメータ等により光ポート毎に出力光パワーを測定して、その出力光パワーがＯＭＡ（Ｏｐｔｉｃａｌ  Ｍｏｄｕｌａｔｉｏｎ  Ａｍｐｌｉｔｕｄｅ）規格を満たしているか否かを判定する。この出力光パワーの測定位置は、例えば、図５に於ける点線で囲ったＣＬＮＴ側の位置である。
【０００６】
又光波長多重伝送装置を設置した局舎内に於ける光ケーブル接続作業は、各光ポートの光出力パワーを測定確認後、光ケーブル接続対象の両光ポートの光出力パワーがＯＭＡ規格を満たしている場合は、クライアント側の装置と光ケーブルにより接続する。若し、何れか一方の光ポートの光出力パワーがＯＭＡ規格を満たしていない場合は、光モジュールの故障と判定し、パッケージ交換を行う。又光波長多重伝送装置１００Ａ，１００Ｂ間を光波長多重伝送路１０１により接続した後、異常警報の有無を確認し、異常警報なしの場合に、接続作業の終了とする。又異常警報発生の場合は、自装置内か否かの発生源の切り分けを行い、自装置内であれば、警報内容に従ったパッケージ交換やパッチコード交換を行うことになる。
【特許文献１】特開２００６−２７９３５５号公報
【特許文献２】特表２００６−５１８１４９号公報
【発明の開示】
【発明が解決しようとする課題】
【０００７】
システム規模に対応した構成の光波長多重伝送装置を製造して、局舎内に設置する場合は、システムの拡張や縮小に対して柔軟に対処できないので、多少の過剰機構内容とする場合が多く、コストアップの原因の一つとなっている。それに対して、図５に示す光波長多重伝送装置は、システム規模に対応した構成となるように組立てることが可能であり、コストダウンを図ることができる。しかし、パッケージ間等をパッチコードにより接続するものであるから、その接続個所が多く、組立作業が煩雑となる問題がある。例えば、図５に示す光波長多重伝送装置の場合のパッチコードによる接続個所は、図５と同一構成を示す図６に於ける点線で囲った個所となる。例えば、波長多重分離盤１０３Ａ，１０３Ｂの多重部１０４Ａ，１０４Ｂ及び分離部１０５Ａ，１０５Ｂと多数の１０Ｇインタフェース盤１０２との間を接続するパッチコードは、その両端に光コネクタを設けているから、通常のコネクタ接続作業となるが、定められた接続相互間を確認しながら多数の接続作業を行うので、比較的煩雑な作業となる問題がある。
【０００８】
又パッチコードにより接続した光ポート間の監視手段を備えていないので、接続誤りの検出並びにその切り分け処理が容易でない問題がある。又クライアント側の光出力規定が、光パワー以外の消光比も含むものであり、これらを含むＯＭＡ規格は複雑である。従って、マニュアルを参考にしながら作業を進めなければならないので、作業時間が長くなる問題もある。又１０Ｇインタフェース盤の送信部が正常に動作するものであるか否かは、その接続先が正常な受信処理が不可能となった時には、送信部が正常であるか否か、或いは受信部が正常であるか否かを判定する必要があるが、その切り分けることが容易ではない問題もある。又光波長多重伝送路１０１側は、多重化した波長対応の減衰量が異なることから、波長対応の複雑な減衰量調整が必要であり、このような調整にも多大な時間を必要とする問題があった。
【０００９】
本発明は、前述の従来の問題点を解決するものであり、パッチコードによる接続手順の簡素化、接続誤りの防止、異常部分の切り分けの迅速化、障害等の問題発生時の対処の迅速化を図ることを目的とする。
【課題を解決するための手段】
【００１０】
本発明の光信号波長多重伝送装置は、クライアント側送信部及び受信部とネットワーク側送信部及び受信部とを含むインタフェース盤と、多重部及び分離部を含む波長多重分離盤と、制御盤とを含み、各部をパッチコードにより接続する光波長多重伝送装置に於いて、前記クライアント側送信部の送信光パワーを測定する光パワー測定部と、前記送信光の消光比を測定する消光比測定部と、前記光パワー測定部により測定した光パワーと前記消光比測定部により測定した消光比と、前記制御盤から通知されたインタフェース盤種別情報とを基にＯＭＡ規格に適合するか否かを判定処理する計算処理部と、該計算処理部の判定結果を表示する表示部とを含むＯＭＡ解析処理盤を備えている。
【００１１】
又波長多重分離盤は、光信号を波長変換して多重化する多重部と、波長対応に分離して元の波長に変換する分離部と、前記多重部からの光波長多重信号を送信する送信部と、光波長多重信号を受信して前記分離部へ転送する受信部と、前記多重部から前記送信部へ転送する光波長多重信号又は前記受信部に光波長多重伝送路を介して入力される光波長多重信号の光パワーを測定する光パワー測定部と、該光パワー測定部による測定結果に応じて前記多重部から前記送信部へ転送する光波長多重信号又は前記光波長多重伝送路を介して前記受信部に入力される光波長多重信号を減衰調整する減衰量調整部とを備えている。
【００１２】
又波長多重分離盤の多重部及び分離部は、光レベルを検出して所定値以下に低下した時に制御盤に光レベル低下警報通知を行う光レベル低下検出部を備えている。
【発明の効果】
【００１３】
光パワー測定部と消光比測定部とを含むＯＭＡ解析処理盤により、インタフェース盤と外部の１０ＧｂＥ装置等と接続する前に、インタフェース盤の正常性を確認することができ、又光パワー測定部と減衰量調整部とにより、波長分離盤内のパッチコード接続前に、所定の光レベルとなるように減衰量調整の自動化が可能となる。又多重部と分離部とに光レベル低下検出部を設けたことにより、各部の正常性の確認及び光レベル低下検出警報によって、異常発生の早期対策を講じることが可能となる。
【発明を実施するための最良の形態】
【００１４】
本発明の光波長多重伝送装置は、クライアント側送信部及び受信部とネットワーク側送信部及び受信部とを含むインタフェース盤と、多重部及び分離部を含む波長多重分離盤と、制御盤とを含み、各部をパッチコードにより接続する光波長多重伝送装置であって、クライアント側送信部の送信光パワーを測定する光パワー測定部と、クライアント側送信部の送信光の消光比を測定する消光比測定部と、光パワー測定部により測定した光パワーと消光比測定部により測定した消光比と、制御盤から通知されたインタフェース盤種別情報とを基にＯＭＡ規格に適合するか否かを判定処理する計算処理部と、この計算処理部の判定結果を表示する表示部とを含むＯＭＡ解析処理盤を備えている。
【実施例１】
【００１５】
図１は、本発明の実施例１の要部説明図であり、１はＷＤＭ装置（光波長多重伝送装置）、２は１０Ｇインタフェース盤、３は波長多重分離盤、４は多重部、５は分離部、６は送信部、７は受信部、８は制御盤、９はＣＬＮＴ（クライアント）側送信部、１０はＮＴＷＫ（ネットワーク）側送信部、１１はＣＬＮＴ（クライアント）側受信部、１２はＮＴＷＫ（ネットワーク）側受信部、２１はＯＭＡ解析処理盤、２２は光パワー測定部、２３は消光比測定部、２４は液晶パネル等による表示部、２５は計算処理部、３１は１０ＧｂＥ装置、３２はＮＴＷＫ側送信部、３３はＮＴＷＫ側受信部、３４はＣＬＮＴ側送信部、３５はＣＬＮＴ側受信部を示し、ＯＭＡ解析処理盤２１を除く基本構成は、図５及び図６に示す光波長多重伝送装置と同一の場合を示し、又１０ＧｂＥ装置３１は、ＷＤＭ装置１との間を単一波長の光信号によりデータの送受信を行う装置を示し、１０Ｇｂイーサネット（登録商標）装置に相当する。なお、１０Ｇインタフェース盤２と波長多重分離盤３の多重部４及び分離部５との間のパッチコードによる接続構成は図示を省略している。
【００１６】
ＯＭＡ解析処理盤２１は、光パワー測定部２２と消光比測定部２３と表示部２４と計算処理部２５とを含む構成を有し、パッケージ化してＷＤＭ装置１に実装しておくことができるものであり、光パワー測定部２２と消光比測定部２３とによる測定結果を、計算処理部２５に入力し、且つ制御盤８からインタフェース盤種別情報等を計算処理部２５に通知して、インタフェース盤の種別対応のＯＭＡ規格に適合しているか否かを比較判定し、その判定結果を表示部２４に表示する機能を有するものである。そこで、先ず、１０Ｇインタフェース盤２のＣＬＮＴ側の送信部９とＯＭＡ解析処理盤２１の光パワー測定部２２とを接続用光ファイバにより接続（１）として示すように接続する。なお、消光比測定部２３との間の接続（２）及び１０ＧｂＥ装置３１の受信部３５との間の接続（３）は、未接続の状態とする。そして、送信部９を動作状態とし、その送信部９の出力光パワーを光パワー測定部２２により測定し、測定結果を計算処理部２５へ通知する。
【００１７】
送信部９の出力光パワー測定後、光パワー測定部２２との間の接続（１）を取り外して、送信部９と消光比測定部２３との間の接続（２）を行い、送信部９を動作状態として、消光比測定部２３により送信部９の出力光の消光比を測定し、その測定結果を計算処理部２５へ通知する。又制御盤８からインタフェース盤種別情報を通知する。計算処理部２５は、測定結果の出力パワーと消光比とを基に、制御盤８から通知されたインタフェース盤種別情報に従ったＯＭＡ規格を満たしているか否かを判定し、判定結果を表示部２４に表示する。判定結果が良であれば、この１０Ｇインタフェース盤２の送信部９は正常であるから、この送信部９と、１０ＧｂＥ装置３１の受信部３５との間をデータ伝送用の光ファイバにより接続（３）する。
【００１８】
又ＷＤＭ装置１の他の１０Ｇインタフェース盤２のと、他の１０ＧｂＥ装置のＣＬＮＴ側受信部とを接続する場合も、前述と同様に、１０Ｇインタフェース盤２の全送信部９について、順次ＯＭＡ解析処理盤２１の光パワー測定部２２に接続用光ファイバを用いて接続し、送信部９の出力光パワーを測定し、次に消光比測定部２３に接続用光ファイバを用いて接続して出力光の消光比を測定し、計算処理部２５により出力光パワー及び消光比が、インタフェース盤種別対応のＯＭＡ規格に適合しているか否かを判定し、不良の判定の場合は、その送信部９を交換することになり、又良の判定の場合は、前述と同様に、その送信部９に、１０ＧｂＥ装置のＣＬＮＴ側受信部を接続する。従って、特別な装置を用意することなく、ＷＤＭ装置１と１０ＧｅＥ装置等のＣＬＮＴ側の装置との間の接続の信頼性を確保することができる。
【実施例２】
【００１９】
図２は、本発明の実施例２の説明図であり、ＷＤＭ装置１Ａ，１Ｂを光波長多重伝送路１１により接続した状態を示し、１Ａ，１ＢはＷＤＭ装置（光波長多重伝送装置）、２Ａ，２Ｂは１０Ｇインタフェース盤、３Ａ，３Ｂは波長多重分離盤、４Ａ，４Ｂは多重部、５Ａ，５Ｂは分離部、６Ａ，６Ｂは送信部、７Ａ，７Ｂは受信部、９Ａ，９ＢはＣＬＮＴ側送信部、１０Ａ，１０ＢはＮＴＷＫ側送信部、１１Ａ，１１ＢはＣＬＮＴ側受信部、１２Ａ，１２ＢはＮＴＷＫ側受信部、４１は光波長多重伝送路、４２Ａ，４２Ｂは光パワー測定部、４３Ａ，４３Ｂは減衰量測定部を示し、制御盤及びＣＬＮＴ側の装置は図示を省略している。
【００２０】
又この実施例２に於けるＷＤＭ装置１Ａ，１Ｂの構成は、前述の図１及び図５及び図６と同様に、パッチコードにより各部を接続する基本構成は同一であり、図２に於いては、ＮＴＷＫ側送信部１０Ａ，１０Ｂと多重部４Ａ，４Ｂとの間を、それぞれパッチコードで接続し、分離部５Ｂと受信部７Ｂとの間をパッチコードで接続している状態を図示している。又波長分離盤３Ａ，３Ｂに、光パワー測定部４２Ａ，４２Ｂと減衰量調整部４３Ａ，４３Ｂとを組み込んだ構成とした場合を示す。減衰量調整部４３Ａ，４３Ｂは、光パワー測定部４２Ａ，４２Ｂの測定結果に対応して、送信部６Ａ，６Ｂ又は受信部７Ａ，７Ｂに於ける光減衰量を調整する機能を有するものであり、既に知られている光可変減衰器或いは光モジュールのバイアス電圧制御等による出力光パワー制御の手段を適用することができる。
【００２１】
先ず、１０Ｇインタフェース盤２ＡのＮＴＷＫ側の送信部１０Ａと波長多重分離盤３Ａの多重部４Ａとをパッチコードにより接続した状態で、多重部４Ａと送信部６Ａとを接続する前に、接続（４）として示すように、多重部４Ａの出力光を光パワー測定部４２Ａに入力するように接続し、ＮＴＷＫ側送信部１０Ａを動作状態として、多重部４Ａから波長変換して送信部６Ａに入力する光パワーを測定して減衰量調整部４３Ａに通知する。減衰量調整部４３Ａは、測定結果に対応して、多重部４Ａから送信部６Ａに入力する光パワーが最適となるように減衰制御を行う。その後、ＮＴＷＫ側送信部１０Ａの動作を一旦中止して、接続（４）を取り外し、接続（５）として示すように、多重部４Ａと送信部６Ａとを接続し、且つ送信部６ＡとＷＤＭ装置１Ｂの波長多重分離盤３Ｂの光パワー測定部４２Ｂと接続（６）として示すように光波長多重伝送路４１により接続して、ＮＴＷＫ側送信部１０Ａと多重部４Ａと送信部６Ａとを動作状態とし、光パワー測定部４２Ｂにより光波長多重伝送路４１を介した光信号について光パワーを測定し、減衰量調整部４３Ｂに通知する。
【００２２】
減衰量調整部４３Ｂは、光波長多重伝送路４１により接続した送信部６Ａと受信部７Ｂとの間の減衰量を算出する。この場合、インチャネル方式により送信部６Ａの送信光パワーの情報を伝送して減衰量調整部４３Ｂに通知することにより、光波長多重伝送路４１の伝送減衰量を求めることができる。又減衰量調整部４３Ｂにより受信部７Ｂを制御して、分離部５Ｂに入力する光パワーが所望範囲内となるように調整する。この場合、光波長多重伝送路４１の波長対応の減衰特性に従った減衰量調整を行うことになる。従って、多重分離盤３Ａ．３Ｂの送信部６Ａ，６Ｂと受信部７Ａ，７Ｂとの間を光波長多重伝送路４１により接続する場合の各部の調整を簡単化することができる。
【実施例３】
【００２３】
図３は、本発明の実施例３の説明図であり、図１及び図２と同一符号は同一部分を示し、装置内部の各部間をパッチコードで接続する基本構成は前述の各実施例１，２と同一である。この実施例３は、波長多重分離盤の多重部及び分離部にそれぞれ光レベル低下検出部４５を設けた場合を示す。ＷＤＭ装置１Ａの波長多重分離盤３Ａに於ける多重部４Ａ及び分離部５Ａのパッケージ対応に光レベル検出部４５を設ける。なお、ＷＤＭ装置１Ｂに於いても同様の構成を設けるものであるが、図示を省略している。この光レベル低下検出部４５は、光信号のレベルを検出し、予め設定した最低レベルと比較する手段と、光信号レベルが設定最低レベルより低下した場合に、光レベル低下検出警報を制御盤８Ａに通知する手段とを含む構成を有するものであり、更に、発光ダイオード等の表示手段を設け、光レベル低下検出により発光表示させる構成とすることができる。図示の場合、ＷＤＭ装置１Ａの波長多重分離盤３Ａに於いては、多重部４Ａと分離部５Ａとにそれぞれ光レベル低下検出部４５を組み込んだ構成とし、光信号レベル低下を検出すると、制御盤８Ａに通知する。制御盤８Ａは、保守者等が操作する図示を省略した上位装置に、異常発生通知を送出する。又光レベル低下検出部４５は、表示部を備えることにより、異常発生パッケージを迅速に識別することが可能となり、その異常発生パッケージを正常パッケージと交換することができる。
【実施例４】
【００２４】
図４は、本発明の実施例４のフローチャートであり、光波長多重伝送装置（ＷＤＭ装置）の作業手順を示すもので、設置手順プログラムにより作業手順を順次指示する場合を示す。例えば、パソコンにより設置手順プログラムを実行させ、表示された手順に従って接続作業を行い、その結果を入力することにより、ステップ（ｓ１）〜（ｓ１１）に示すように、順次手順が指示される。なお、各部の符号のＡ，Ｂは省略し、数字による符号のみで説明する。先ず、図１に於けるＯＭＡ解析処理装置２１により、実装した１０Ｇインタフェース盤２のＣＬＮＴ側送信部９とＯＭＡ解析処理装置２１の光パワー測定部２２及び消光比測定部２３との間を接続用光ファイバにより順次接続して、測定結果を基に計算処理部２５により、ＯＭＡ規格に適合しているか否かを判定する（ｓ１）。判定結果が、ＯＭＡ規格に適合しない場合は、１０Ｇインタフェース盤２の交換を指示する（ｓ２）。又適合する場合は、１０Ｇインタフェース盤２のＣＬＮＴ側と１０ＧｂＥ装置３１等の外部装置との接続を指示する（ｓ３）。
【００２５】
次に、１０Ｇインタフェース盤２のＮＴＷＫ側の送信部１０及び受信部１２と、波長多重分離盤３の多重部４及び分離部５とを、パッチコードで接続するように指示し（ｓ４）、次に、波長多重分離盤３の多重部４及び分離部５と、送信部６及び受信部７との間をパッチコードで接続するように指示し（ｓ５）、ＷＤＭ区間の接続、即ち、図２に示すように、光波長多重伝送路４１により、ＷＤＭ装置間の接続を指示する（ｓ６）。この接続過程に於いて、光パワー測定部４２Ａ，４２Ｂと減衰量調整部４３Ａ，４３Ｂとにより光パワーの測定と減衰量の制御とを行わせる。そして、パッチコード異常有無の確認を指示し（ｓ７）、異常がなければ、設置作業終了とする（ｓ１１）。
【００２６】
又ステップ（ｓ７）に於いて異常個所があれば、コネクタやパッチコードの清掃を指示し（ｓ８）、異常個所が回復したか否かを判定し（ｓ９）、回復確認の場合は、設置作業終了とする（ｓ１１）。又回復しない場合は、１０Ｇインタフェース盤２にＮＴＷＫ側の光出力の正常性の確認を指示する（ｓ１０）。正常性が確認できない場合は、１０Ｇインタフェース盤の交換を指示する（ｓ２）。従って、熟練者でなくても、パッチコードによる内部接続及び外部装置との間の接続操作を行うことができる。又光パワー測定部、消光比測定部、減衰量調整部等を組み込んでおくことにより、各種の測定器を持参することなく、接続作業を順次行うことができる。
【図面の簡単な説明】
【００２７】
【図１】本発明の実施例１の要部説明図である。
【図２】本発明の実施例２の要部説明図である。
【図３】本発明の実施例３の要部説明図である。
【図４】本発明の実施例４のフローチャートである。
【図５】従来例の光パワー測定の説明図である。
【図６】光信号波長多重伝送装置のパッチコード接続個所の説明図である。
【符号の説明】
【００２８】
１  ＷＤＭ装置（光信号波長多重伝送装置）
２  １０Ｇインタフェース装置
３  波長分離盤
４  多重部
５  分離部
６  送信部
７  受信部
８  制御盤
９  ＣＬＮＴ側送信部
１０  ＮＴＷＫ側送信部
１１  ＣＬＮＴ側受信部
１２  ＮＴＷＫ側受信部
２１  ＯＭＡ解析処理盤
２２  光パワー測定部
２３  消光比測定部
２４  表示部
２５  計算処理部
３１  １０ＧｂＥ装置
３２  ＮＴＷＫ側送信部
３３  ＮＴＷＫ側受信部
３４  ＣＬＮＴ側送信部
３５  ＣＬＮＴ側受信部
【図１】
2008177840.tif 000003
【図２】
2008177840.tif 000004
【図３】
2008177840.tif 000005
【図４】
2008177840.tif 000006
【図５】
2008177840.tif 000007
【図６】
2008177840.tif 000008